(57)【特許請求の範囲】
【請求項１】
前後進可能なディスク載置用トレイを備えたプレーヤ本体が筐体内に配置されると共に
、該トレイに対向して筐体の合成樹脂製フロントパネルにトレイ挿通口が開設され、該ト
レイ挿通口を開閉するためのトレイドアの裏面に左右一対のアームが突設され、該各アー
ムの先端に突設した支軸が前記フロントパネルの裏面に突設した左右一対のブラケットの
軸孔に回転可能に挿通され、一方の支軸に巻回した捩じりばねの一端がフロントパネルに
係合されると共に、該捩じりばねの他端が一方のアームに係合されることによりトレイド
アをトレイ挿通口に向けて常時閉動方向に付勢しており、その捩じりばねの付勢力により
トレイドアをトレイ挿通口に配置した状態で、前進させたトレイによりトレイドアを捩じ
りばねに抗して押すことにより、そのトレイドアを支軸回りで開動させるようにしたディ
スク装置において、前記捩じりばねと一方の支軸との間に介在された円筒軸を有し、該円
筒軸が一方の支軸を回転可能に支持する一方のブラケットの外側面に該一方のブラケット
の軸孔と同心状に一体突設されていることを特徴とするディスク装置。
【発明の詳細な説明】
【技術分野】
【０００１】
本発明は、例えばＤＶＤなどのディスク装置に関し、特にトレイドアを閉動方向に付勢
する捩じりばねが脱落しないようにしたものである。
【背景技術】
【０００２】
従来、ディスク装置の一例として特許文献１などに記載したものがあり、その一例を図
７〜図１０に基づいて説明すると、これは、前後進ａ，ｂ可能なディスクＤ載置用トレイ
１を備えたプレーヤ本体２が筐体３内に配置されると共に、該トレイ１に対向して筐体３
の合成樹脂製フロントパネル３ａにトレイ挿通口４が開設され、該トレイ挿通口４を開閉
するための合成樹脂製トレイドア５の裏面に左右一対の略コ字状アーム６ａ，６ｂが突設
され、該各アーム６ａ，６ｂの先端に突設した支軸７ａ，７ｂが前記フロントパネル３ａ
の裏面に突設した左右一対のブラケット８ａ，８ｂの軸孔９に矢印ｃ，ｄ方向に回転可能
に挿通され、一方の支軸７ａに巻回した捩じりばね１０の一端がフロントパネル３ａに係
合されると共に、該捩じりばね１０の他端が一方のアーム６ａのストッパ突起６ｃに係合
されることによりトレイドア５をトレイ挿通口４に向けて常時閉動ｃ方向に付勢しており
、その捩じりばね１０の付勢力によりトレイドア５をトレイ挿通口４に配置し（図８実線
参照）、トレイドア５の裏面両端にトレイ用当たり板１１が突設されている。なお、図７
中、１２は他方のブラケット８ｂに接近してフロントパネル３ａの裏面に突設された支軸
抜け止め片、１３は電源釦、１４は各種操作釦、１５はエジェクト釦である。
【０００３】
エジェクト動作を説明すると、図８に実線で示すように、トレイドア５によりトレイ挿
通口４を閉鎖した状態でエジェクト釦１５を押すと、そのエジェクト信号に基づいてトレ
イ１が前進ａされ、その前進ａさせたトレイ１で当たり板１１を介してトレイドア５を捩
じりばね１０に抗して押すことにより該トレイドア５を支軸７ａ，７ｂ回りで開動ｄさせ
る〔図８仮想線参照〕。次に、最前進ａさせたトレイ１上からディスクＤを取り外したり
新たなディスクＤを載置した後、エジェクト釦１５を押すことにより、そのエジェクト信
号に基づいてトレイ１が後進ｂされてプレーヤ本体２内に収納され〔図８実線参照〕、そ
れとほぼ同時に、トレイドア５が捩じりばね１０により閉動ｃされてトレイ挿通口４を閉
鎖する。
【特許文献１】特開２００３−５１１８１号公報
【発明の開示】
【発明が解決しようとする課題】
【０００４】
上記従来の構成では、例えば子供が悪戯でトレイドア５を無理に開動ｄさせ（図８仮想
線参照）、その際の衝撃でトレイドア５を折損させた場合に、一方の支軸７ａが一方のブ
ラケット８ａの軸孔９から抜けることにより（図１０仮想線参照）、その一方の支軸７ａ
に巻回した捩じりばね１０が脱落する。これにより、その脱落した捩じりばね１０がプレ
ーヤ本体２内のプリント基板に接触してショート事故を生じさせるおそれがあり、危険で
ある。
【０００５】
本発明は、上記従来の欠点に鑑み、トレイドアを閉動方向に付勢する捩じりばねが脱落
しないようにしたディスク装置を提供することを目的としてしている。
【課題を解決するための手段】
【０００６】
上記目的を達成するため、請求項１に記載の発明は、前後進可能なディスク載置用トレ
イを備えたプレーヤ本体が筐体内に配置されると共に、該トレイに対向して筐体の合成樹
脂製フロントパネルにトレイ挿通口が開設され、該トレイ挿通口を開閉するためのトレイ
ドアの裏面に左右一対のアームが突設され、該各アームの先端に突設した支軸が前記フロ
ントパネルの裏面に突設した左右一対のブラケットの軸孔に回転可能に挿通され、一方の
支軸に巻回した捩じりばねの一端がフロントパネルに係合されると共に、該捩じりばねの
他端が一方のアームに係合されることによりトレイドアをトレイ挿通口に向けて常時閉動
方向に付勢しており、その捩じりばねの付勢力によりトレイドアをトレイ挿通口に配置し
た状態で、前進させたトレイによりトレイドアを捩じりばねに抗して押すことにより、そ
のトレイドアを支軸回りで開動させるようにしたディスク装置において、前記捩じりばね
と一方の支軸との間に介在された円筒軸を有し、該円筒軸が一方の支軸を回転可能に支持
する一方のブラケットの外側面に該一方のブラケットの軸孔と同心状に一体突設されてい
ることを特徴としている。
【発明の効果】
【０００７】
請求項１に記載の発明は実施の一形態（図１参照）に対応するものであって、これによ
れば、例えば子供が悪戯でトレイドアを無理に開動させ、その際の衝撃でトレイドアを折
損させることにより、そのトレイドアの支軸がブラケットの軸孔から抜けたとしても、捩
じりばねと支軸との間に円筒軸が介在されているので、該円筒軸により捩じりばねの脱落
を確実に阻止することができ、従来のように捩じりばねが脱落してプレーヤ本体内のプリ
ント基板に接触することによりショート事故を生じさせることがなく、安全性が高いディ
スク装置を提供することができる。
【発明を実施するための最良の形態】
【０００８】
図１は本発明の実施の一形態であるＤＶＤ型ディスク装置の要部を示すものであって、
捩じりばね１０の脱落を阻止するばね脱落阻止手段１７が設けられている。上記以外の構
成は図７〜図９に示す構成とほぼ同じであるから、同一部分に同一符号を付してその説明
を省略する。
【０００９】
前記ばね脱落阻止手段１７は、捩じりばね１０と一方の支軸７ａとの間に介在されて一
方のブラケット８ａの外側面に該ブラケット８ａの軸孔９と同心状に一体突設された円筒
軸１７Ａからなっている。
【００１０】
上記構成によれば、例えば子供が悪戯でトレイドア５を無理に開動させ、その際の衝撃
でトレイドア５を折損させることにより、図１（ａ）に仮想線で示すように、トレイドア
５の支軸７ａがブラケット８ａの軸孔９から抜けたとしても、捩じりばね１０と支軸７ａ
との間に円筒軸１７Ａが介在されているので、該円筒軸１７Ａにより捩じりばね１０の脱
落を確実に阻止することができ、従来のように捩じりばね１０が脱落してプレーヤ本体２
内のプリント基板に接触することによりショート事故を生じさせることがなく、安全性が
高いディスク装置を提供することができる。
【００１１】
なお、トレイドア５をトレイ挿通孔４の配置する場合には、各アーム６ａ，６ｂを弾性
変位させて各支軸７ａ，７ｂを各ブラケット８ａ，８ｂの軸孔９に嵌入させた後、捩じり
ばね１０を円筒軸１７Ａに遊嵌合させて該捩じりばね１０の両端をフロントパネル３ａと
一方のアーム６ａのストッパ突起６ｃとに係合させればよい。
【００１２】
図２は本発明の第１の参考例であるＤＶＤ型ディスク装置の要部を示すものであって、
ばね脱落阻止手段１７が、フロントパネル３ａの裏面に突設したロックピン１７Ｂａと、
捩じりばね１０の一端を弯曲させて形成したリング部１７Ｂｂとを有しており、図３（ａ
）に示すように、リング部１７Ｂｂをロックピン１７Ｂａに対向させて、同図（ｂ）に示
すように、リング部１７Ｂｂをロックピン１７Ｂａに嵌合させ、同図（ｃ）に示すように
、ロックピン１７Ｂａの先端を加熱工具で加熱融解（焼き付け）させて変形させることに
より、そのリング部１７Ｂｂの内径ｒよりも外径Ｒを大きくした抜止頭部２１が一体形成
されている。
【００１３】
上記構成によれば、実施の一形態（図１参照）とほぼ同様の効果を得ることができ、特
に、捩じりばね１０の一端に形成したリング部１７Ｂｂをフロントパネル３ａの裏面に突
設した抜止頭部２１付きロックピン１７Ｂａに嵌合させているので、該捩じりばね１０を
巻回させた支軸７ａがブラケット８ａの軸孔９から抜けても〔図２（ａ）仮想線参照〕、
その捩じりばね１０が従来のように脱落することがなく、安全性が高い。また、捩じりば
ね１０のリング部１７Ｂｂをロックピン１７Ｂａに嵌合させた状態で該ロックピン１７Ｂ
ａの先端を加熱変形させてそのロックピン１７Ｂａの先端に大径Ｒの抜止頭部２１を形成
するだけでよいから、その形成のために部品点数が増加せず、経済的である。
【００１４】
図４は本発明の第２の参考例であるＤＶＤ型ディスク装置の要部を示すものであって、
ばね脱落阻止手段１７が、フロントパネル３ａの裏面に所定間隔をおいて平行に突設した
一対のロックピン１７Ｃａと、捩じりばね１０の一端を略Ｌ字状に折曲させて形成したＬ
字部１７Ｃｂとを有しており、図４（ａ）に示すように、Ｌ字部１７Ｃｂをロックピン１
７Ｃａに対向させて、同図（ｂ）に示すように、Ｌ字部１７Ｃｂを両ロックピン１７Ｃａ
間に挿入し、同図（ｃ）に示すように、両ロックピン１７Ｃａの先端を加熱融解させて変
形させることによりその両ロックピン１７Ｃａの先端どうしを連結する連結部２２が一体
形成されている。上記以外の構成は第１の参考例（図２及び図３参照）とほぼ同じなので
、その説明を省略する。
【００１５】
上記構成によれば、実施の一形態とほぼ同様の効果を得ることができ、特に、捩じりば
ね１０の一端に形成したＬ字部１７Ｃｂをフロントパネル３ａの裏面に突設した一体連結
状両ロックピン１７Ｃａ間に挿入しているので、該捩じりばね１０を巻回させた支軸７ａ
がブラケット８ａの軸孔９から抜けても〔図２（ａ）仮想線参照〕、その捩じりばね１０
が従来のように脱落することがなく、安全性が高い。また、捩じりばね１０のＬ字部１７
Ｃｂを両ロックピン１７Ｃａ間に挿入した状態で該両ロックピン１７Ｃａの先端を加熱変
形させてその両ロックピン１７Ｃａの先端どうしを一体連結するだけでよいから、部品点
数が増加せず、経済的である。
【００１６】
図５は本発明の第３の参考例であるＤＶＤ型ディスク装置の要部を示すものであって、
ばね脱落阻止手段１７が、プレーヤ本体２の前面両端に突設され各アーム６ａ，６ｂに接
近して前方に突出する一対のストッパ片１７Ｄからなり、該各ストッパ片１７Ｄとアーム
６ａ，６ｂとの間の隙間αが各支軸７ａ，７ｂの先端から各ブラケット８ａ，８ｂの内側
面までの間隔βよりも小さく設定されている。
【００１７】
上記構成によれば、実施の一形態とほぼ同様の効果を得ることができ、特に、トレイド
ア５の折損によりアーム６ａ，６ｂが脱落しようとしても、該アーム６ａ，６ｂがストッ
パ片１７Ｄに当たることにより、そのアーム６ａ，６ｂに突設した支軸７ａ，７ｂがブラ
ケット８ａ，８ｂの軸孔９から抜けることがないので、その一方の支軸７ａに巻回した捩
じりばね１０が脱落することがなく、安全性が高い。また、ストッパ片１７Ｄをプレーヤ
本体２の前面に一体突設するだけでよいから、部品点数が増加せず、経済的ある。なお、
図５（ｂ）の下側に位置する捩じりばね１０側ストッパ片１７Ｄだけを残し、その上側に
位置するストッパ片１７Ｄを省略してもよい。
【００１８】
図６は本発明の第４の参考例であるＤＶＤ型ディスク装置の要部を示すものであって、
フロントパネル３ａと一方のアーム６ａとの間に引っ張りばね２３が設けられ、該引っ張
りばね２３の作用は捩じりばね１０とほぼ同じであり、その引っ張りばね２３の脱落を阻
止するばね脱落阻止手段１７が設けられており、該ばね脱落阻止手段１７が、フロントパ
ネル３ａの裏面に突設したロックピン１７Ｅａと、引っ張りばね２３の一端を弯曲させて
形成したリング部１７Ｅｂとを有し、該リング部１７Ｅｂをロックピン１７Ｅａに嵌合さ
せた状態で該ロックピン１７Ｅａの先端を加熱変形させることによりそのリング部１７Ｅ
ｂの内径ｒよりも外径Ｒを大きくしたの抜止頭部２４が一体形成されている。
【００１９】
上記構成によれば、実施の一形態とほぼ同様の効果を得ることができ、特に、引っ張り
ばね２３の一端に形成したリング部１７Ｅｂをフロントパネル３ａの裏面に突設した抜止
頭部２４付きロックピン１７Ｅａに嵌合させているので、該引っ張りばね２３を巻回させ
た支軸７ａがブラケット８ａの軸孔９から抜けても、その引っ張りばね２３が従来のよう
に脱落することがなく、安全性が高い。また、引っ張りばね２３のリング部１７Ｅｂをロ
ックピン１７Ｅａに嵌合させた状態で該ロックピン１７Ｅａの先端を加熱変形させてその
ロックピン１７Ｅａの先端に大径Ｒの抜止頭部２４を形成するだけでよいから、その形成
のために部品点数が増加せず、経済的である。
【産業上の利用可能性】
【００２０】
上記実施の一形態ではＤＶＤ型ディスク装置を例にあげて説明したが、これに限定され
るわけではなく、ＤＶＤ一体型ビデオデッキなどの各種電気機器にも適用される。
【図面の簡単な説明】
【００２１】
【図１】（ａ）は本発明の実施の一形態であるＤＶＤ型ディスク装置の要部を示す一部切り欠き正面図、（ｂ）は円筒軸付きブラケットの斜視図、（ｃ）はＡ−Ａ矢視図である。
【図２】（ａ）は本発明の第１の参考例であるＤＶＤ型ディスク装置の要部を示す一部切り欠き正面図、（ｂ）はＢ−Ｂ矢視図である。
【図３】（ａ）〜（ｃ）はばね脱落阻止手段の形成手順を示す斜視図である。
【図４】（ａ）〜（ｃ）は本発明の第２の参考例であるＤＶＤ型ディスク装置におけるばね脱落阻止手段の形成手順を示す斜視図である。
【図５】（ａ）は本発明の第３の参考例であるＤＶＤ型ディスク装置の縦断面図、（ｂ）はＣ−Ｃ矢視図である。
【図６】（ａ）は本発明の第４の参考例であるＤＶＤ型ディスク装置の要部を示す一部切り欠き側面図、（ｂ）はＥ−Ｅ矢視図である。
【図７】従来例を示す正面図である。
【図８】エジェクト動作を示す縦断面図である。
【図９】同要部の分解斜視図である。
【図１０】同要部の捩じりばね付近の一部切り欠き正面図である。
【符号の説明】
【００２２】
１          トレイ
２          プレーヤ本体
３          筐体
３ａ        フロントパネル
４          トレイ挿通口
５          トレイドア
６ａ，６ｂ  アーム
７ａ，７ｂ  支軸
８ａ，８ｂ  ブラケット
９          軸孔
１０        捩じりばね
１７        ばね脱落阻止手段
１７Ａ      円筒軸
１７Ｂａ    ロックピン
１７Ｂｂ    リング部
１７Ｃａ    ロックピン
１７Ｃｂ    Ｌ字部
１７Ｄ      ストッパ片
１７Ｅａ    ロックピン
１７Ｅｂ    リング部
２１        抜止頭部
２２        連結部
２３        引っ張りばね
２４        抜止頭部
ａ，ｂ      前後進
ｃ，ｄ      開閉動作
Ｄ          ディスク
α          ストッパ片とアームとの間の隙間
β          支軸の先端からブラケットの内側面までの間隔
Ｒ          抜止頭部の外径
ｒ          リング部の内径
【図１】
0004241521.tif 000002
【図２】
0004241521.tif 000003
【図３】
0004241521.tif 000004
【図４】
0004241521.tif 000005
【図５】
0004241521.tif 000006
【図６】
0004241521.tif 000007
【図７】
0004241521.tif 000008
【図８】
0004241521.tif 000009
【図９】
0004241521.tif 000010
【図１０】
0004241521.tif 000011